(57)【要約】【目的】  緊急性の高い救急現場においても使用できる、患者識別機能と生体情報（バイタルデータ、患者画像等）取得及び表示機能とを搭載した、携帯医療端末及び携帯医療端末による医療支援システムを提供することを目的とする。【構成】  本発明の無線携帯医療端末による医療支援システムは、患者の体の一部に形成した識別タグ１０の情報を読み取る携帯医療端末２０と、救急車や救急ヘリ等の患者搬送移動体に搭載された医療機器３０と、患者搬送先医療施設に備えられ、患者情報を取得して治療時にデータを参照するための医療施設コンピュータ４０とから構成され，患者搬送中に患者情報及び患者画像を携帯医療端末で取得し、医療施設到達時に取得した患者情報を携帯医療端末から直接医療施設コンピュータ４０に送信可能とする。【選択図】        図１
2005245828.tif 000002
【特許請求の範囲】
【請求項１】
患者の有する識別タグを患者識別情報として当該識別タグに非接触で読み取り可能な識別信号読取部と、
患者を撮影可能な撮像部と、
前記識別信号読取部で読み取った患者識別情報と前記撮像部で撮影した患者画像とを関連付けて記憶する記憶部とを具備することを特徴とする携帯医療端末。
【請求項２】
患者のバイタルデータを医療機器から取得する医療機器通信部を備え、
前記記憶部は医療機器通信部より取得したバイタルデータを前記患者識別情報と関連付けて記憶することを特徴とする請求項１に記載の携帯医療端末。
【請求項３】
患者のバイタルデータを入力する入力部を具備することを特徴とする請求項１又は請求項２に記載の携帯医療端末。
【請求項４】
前記識別信号読取部で読み取った患者識別情報と前記撮像部で撮影した患者画像とを表示する表示部とを備えることを特徴とする請求項１乃至請求項３のいずれかに記載の携帯医療端末。
【請求項５】
前記記憶部に記憶された患者情報を医療施設のコンピュータに出力する医療施設コンピュータ通信部を備えることを特徴とする請求項１乃至請求項４のいずれかに記載の携帯医療端末。
【請求項６】
患者のバイタルデータを取得可能な医療機器の備えられた患者搬送移動体により患者を患者情報を管理する医療施設コンピュータの備えられた医療施設に搬送して治療するための医療支援システムであって、
患者の有する識別タグを患者識別情報として非接触で読み取る識別信号送受信部と、患者画像を撮影する撮像部と、前記患者搬送移動体に備えられた医療機器で取得したバイタルデータを取得する医療機器通信部と、前記識別信号送受信部で読み取った患者識別情報と前記撮像部で撮影した患者画像および前記医療機器で取得したバイタルデータとを関連付けして記憶する記憶手段と、前記記憶手段に記憶された記憶情報を患者搬送先医療施設に備えられた前記医療施設コンピュータに送信する医療施設コンピュータ通信部とを備える携帯医療端末を備え、
前記患者を前記搬送先医療施設に搬送するまでに前記携帯医療端末に記憶した情報を搬送先医療施設到着後すぐに前記医療施設コンピュータに送信して前記医療施設の患者治療に供与可能とすることを特徴とする医療支援システム。
【請求項７】
前記携帯医療端末は、前記患者情報あるいは前記医療機器の取得した患者情報を入力する入力部をさらに備えることを特徴とする請求項６に記載の医療支援システム。
【発明の詳細な説明】
【技術分野】
【０００１】
本発明は、患者識別機能と患者生体情報（バイタルデータ、患者画像等）取得機能を有する携帯医療端末及び携帯医療端末を用いた医療支援システムに関する。
【背景技術】
【０００２】
従来から、医師が患者の診断等を行う場合に検査データや患者の過去の様態などその患者に対する種々の情報を参照する方法として、例えば医療施設で一括管理されているカルテを参考にしてきた
。
【０００３】
近年、医療関連機器や診断技術の発展及び高度化に伴い、医療施設で医療行為を受ける患者数や患者一人当たりに蓄積される医療情報が膨大となっており、これらの医療情報の管理が複雑化している。
【０００４】
また、医師や看護師、介護士などの医療従事者一人あたりの対応患者数は年々増大してきていると共に、医師から患者に対する治療方法はますます複雑化しており、患者の取り違い防止や適正な治療方法の実施・薬剤の適正使用の重要性がますます高まってきている。
【０００５】
これらの問題点を解決するために、例えば特許文献１の医療支援システムでは、医療従事者が医療用携帯端末を医療従事者用ＩＤタグと患者用ＩＤタグに接近させることで、携帯用端末にＩＤを読みとらせてホストコンピュータから患者情報を携帯用端末に転送する方法が提案されている。
【０００６】
また、特許文献２の患者識別方法には、患者の爪に患者の登録番号に対応するバーコードを印刷し、そのバーコードをバーコード読み込み装置で読み込むことで患者の識別や薬剤等の誤使用防止を図ることが提案されている。
【０００７】
【特許文献１】特開平１０−４９６０４号公報
【特許文献２】特開２００１−１７５７９１公報
【発明の開示】
【発明が解決しようとする課題】
【０００８】
しかしながら、これらの患者識別は、医療施設で継続的に医療行為を受けている患者が対象であり、最も適正な患者情報を必要としているのは救急医療現場であり、救急医療現場では迅速な患者情報の検索が必要であるにもかかわらずほとんど考慮されていない状況であった。
【０００９】
特に救急現場においては、患者の氏名・年齢・既応歴等が不明である場合も多いため、救急現場での患者の現病歴やけがの状況と患者自身とを関連付けた患者識別は非常に重要である。
【００１０】
また、患者を救急車等で搬送する際に救急車などに搭載された医療機器で取得した患者のバイタルデータ（血圧、脈拍、体温、呼吸、心電図、皮膚色・顔色等の生体情報）や救急車内での応急処置情報は、救急隊員による搬送先医療施設の医療従事者への口頭及び紙媒体を利用した申し送りで行われている状況である。
【００１１】
さらには、事故救急現場での患者の患部画像や現場画像等の患者画像は、搬送先医療施設での初期治療に非常に有効であるにも関わらず、従来は全く使用されていなかった。
【課題を解決するための手段】
【００１２】
本発明は以上の課題に鑑みてなされたもので、緊急性の高い救急現場において有効な携帯医療端末及び携帯医療端末を用いた医療支援システムを提供することを目的とする。本発明は、かかる目的を達成する一手段として例えば以下の構成を備える。
【００１３】
即ち、患者の有する識別タグを患者識別情報として当該識別タグに非接触で読み取り可能な識別信号読取部と、患者を撮影可能な撮像部と、前記識別信号読取部で読み取った患者識別情報と前記撮像部で撮影した患者画像とを関連付けて記憶する記憶部とを具備する携帯医療端末を救急医療現場で用いることを特徴とする。
【００１４】
そして例えば、患者のバイタルデータを医療機器から取得する医療機器通信部を備え、前記記憶部は医療機器通信部より取得したバイタルデータを前記患者識別情報と関連付けて記憶することを特徴とする。
【００１５】
又例えば、患者のバイタルデータを入力する入力部を具備することを特徴とする。
【００１６】
更に例えば、前記識別信号読取部で読み取った患者識別情報と前記撮像部で撮影した患者画像とを表示する表示部とを備えることを特徴とする。
【００１７】
又例えば、前記記憶部に記憶された患者情報を医療施設のコンピュータに出力する医療施設コンピュータ通信部を備えることを特徴とする。
【００１８】
あるいはまた、患者のバイタルデータを取得可能な医療機器の備えられた患者搬送移動体により患者を患者情報を管理する医療施設コンピュータの備えられた医療施設に搬送して治療するための医療支援システムであって、患者の有する識別タグを患者識別情報として非接触で読み取る識別信号送受信部と、患者画像を撮影する撮像部と、前記患者搬送移動体に備えられた医療機器で取得したバイタルデータを取得する医療機器通信部と、前記識別信号送受信部で読み取った患者識別情報と前記撮像部で撮影した患者画像および前記医療機器で取得したバイタルデータとを関連付けして記憶する記憶手段と、前記記憶手段に記憶された記憶情報を患者搬送先医療施設に備えられた前記医療施設コンピュータに送信する医療施設コンピュータ通信部とを備える携帯医療端末を備え、前記患者を前記搬送先医療施設に搬送するまでに前記携帯医療端末に記憶した情報を搬送先医療施設到着後すぐに前記医療施設コンピュータに送信して前記医療施設の患者治療に供与可能とする医療支援システムとすることを特徴とする。
【００１９】
そして例えば、前記携帯医療端末は、前記患者情報あるいは前記医療機器の取得した患者情報を入力する入力部をさらに備えることを特徴とする。
【発明の効果】
【００２０】
本発明によれば、緊急性を有する救急医療現場であっても、確実に緊急医療に役立つ患者情報を提供することができる携帯医療端末及び携帯医療端末を用いた医療支援システムが提供できる。
【００２１】
また、本発明によれば、患者のバイタルデータ、患者搬送移動体内での応急処置情報や患者画像等の生体情報を搬送先医療施設での治療情報として利用することができる携帯医療端末及び携帯医療端末による医療支援システムを提供することができる。
【発明を実施するための最良の形態】
【００２２】
以下、図面を参照して本発明にかかる一発明の実施の形態例を詳細に説明する。まず図１を参照して本発明にかかる一発明の実施の形態例の医療支援システムの概略を説明する。図１は、本発明にかかる一発明の実施の形態例の無線携帯医療端末を利用した医療支援システムを示す構成図である。
【００２３】
本実施の形態例の医療支援システムは、患者の体の一部に貼着した、あるいは描画あるいは係止させた識別タグ１０の情報を識別タグ１０に非接触で読み取り可能であると共に、救急車や救急ヘリ等の患者搬送移動体に搭載された医療機器３０の収集情報を収集可能な携帯医療端末２０と、救急車や救急ヘリ等の患者搬送移動体と、患者情報を取得して治療時にデータを参照可能な医療施設コンピュータ４０を備える患者搬送先の医療施設とから概略構成されている。
【００２４】
また、患者搬送移動体に搭載された医療機器３０は、当該医療機器３０で取得された患者のバイタルデータを携帯医療端末２０に無線送信するバイタルデータ送信部３２と接続されている。さらに、医療施設コンピュータ４０は、携帯医療端末２０に保存されている搬送されてきた患者の患者情報を受信する患者情報受信部４２を備えている。
【００２５】
そして本実施の形態例の携帯医療端末２０は、バイタルデータ送信部３２あるいは患者情報受信部４２との間で無線通信が可能であり、それぞれとの間で患者情報の授受が可能に構成されている。
【００２６】
図２は、携帯医療端末２０の詳細構成を説明するためのブロック図である。本実施の形態例の携帯医療端末２０は、少なくとも、携帯医療端末２０の全体制御を司る制御部２１と、患者識別情報や生体情報等を表示可能な表示部２２と、バイタルデータ等を操作入力可能な入力部２３と、識別タグ１０の情報を識別タグ１０に非接触で読み取り可能な識別信号受信部２４と、患者の患者画像を撮影可能な撮像部２５と、患者を搬送先医療施設などに搬送する救急車等に搭載された医療機器３０等から患者のバイタルデータ等を取得する医療機器通信部２６と、患者搬送先医療施設に備えられた医療施設コンピュータ４０との間の情報通信を行い収集した患者情報等を送信可能な医療施設通信部２７を含む各構成から概略構成されている。
【００２７】
制御部２１は、携帯医療端末２０全体を制御するＣＰＵ２１ａと、ＣＰＵ２１ａで実行されるプログラム等を記憶するＲＯＭ２１ｂと、患者の有する識別タグ１０の情報や、生体情報としての患者画像やバイタルデータ等を記憶するＲＡＭ２１ｃとを概略備えている。
【００２８】
尚、本実施の形態例の識別タグ１０の情報は、非接触状態で識別信号送受信部２４を介して携帯医療端末２０に取得され、読み取られる。なお、上記の患者に関する各種の情報はＲＡＭ２１ｃに記憶される場合に限るものではなく、携帯医療端末２０に着脱自在の不揮発性メモリを備え、当該不揮発性メモリに記憶しても、あるいは、最近小型化が著しいハードディスクやＤＶＤ−ＲＡＭ等を備え、これらに記憶するものであっても良い。
【００２９】
例えば、着脱自在の記録媒体に患者に関する情報を記録させru
場合には、医療施設通信部２７を介して医療施設のコンピュータに送信する場合に限定されず、患者情報の記憶された記録媒体を医療施設のコンピュータから読み込ませてもよい。
【００３０】
図３は、本実施の形態例の携帯医療端末２０の外観の一態様例を示す図である。図３に示すように、本実施の形態例の携帯医療端末２０は、表示部２２の表示画面２２ａと、下部に列状に配設された５つの入力ボタン２３ａ〜２３ｅを備えている。
【００３１】
また、表示部２２の表示画面２２ａは、タッチパネル構造となっており、表示画面を例えば入力ペンで描画することにより、文字の手書き入力が可能に構成されているほか、表示データと入力指示とを関連つけたシフトウェアキーボードとしても機能させることが可能である。
【００３２】
以上の構成を備える携帯医療端末２０を利用した医療支援システムについて図４を参照してさらに説明する。図４は本実施の形態例の医療支援システムの動作を説明するためのフローチャートである。以下の説明は救急隊員が救急車で救急現場から医療施設に患者を搬送して救急治療を行う場合を例として説明する。
【００３３】
救急現場において、現場に到着した救急隊員は、先ずステップＳ１に示すように最初に患者に識別タグ１０を取り付ける。そしてステップＳ２に示すように患者に取り付けた識別タグ１０の情報を携帯医療端末２０の識別信号送受信部２４で読み取り、記憶部（例えばＲＡＭ２１ｃ）に記憶させる。これは、例えば入力部２３から識別情報入力を指示入力して識別信号送受信部２４を識別タグに接近させるなどして識別タグ１０の識別情報を読み込み、読み込み情報を表示画面２２ａに表示して確認すればよい。
【００３４】
識別タグ１０は、例えば手の爪などの治療対象者の体の一部に貼着したり、手首や足首に巻き付けて固着したり、手や足に塗布あるいは接着しても良い。
【００３５】
この識別タグ１０は、携帯医療端末２０において非接触で読み取り可能であり、例えばシール状のバーコードや、小型のＲＦＩＤ（Ｒａｄｉｏ  Ｆｒｅｑｕｅｎｃｙ  Ｉｄｅｎｔｉｆｉｃａｔｉｏｎ）等を利用することができる。
【００３６】
シール状のバーコードを使用する場合には、例えばバーコードシールを患者の右手首に取り付けて使用する。尚、バーコードの読み取りは識別信号送受信部としてバーコードリーダを備え付けるか、撮像部のカメラをバーコードリーダとして使用する方法で患者の識別情報を読み取り携帯医療端末２０に記憶させてもよい。
【００３７】
また、識別タグ１０としてＲＦＩＤを使用する場合には、例えばＲＦＩＤを接着剤等で爪に貼り付けて使用する。尚、ＲＦＩＤの読み取りは、ＲＦＩＤが識別信号送受信部から送信された電波（チャージ波）により電磁誘導の原理で応答動作に必要な電力を得るので、このＲＦＩＤの応答動作により送信されるＲＦＩＤの識別情報を識別信号送受信部が受信することにより読み取り、携帯医療端末２０に記憶する。
【００３８】
救急隊員は続くステップＳ３に示すように必要に応じて、携帯医療端末２０に備えられた撮像部２５を利用して、患者の患部や現場画像等の画像を救急車中や現場で撮影する。そして例えばＲＡＭ２１ｃ等に保存する。この患者情報の撮影は患者搬送中においても必要に応じて適宜行うことが望ましく、撮影の都度携帯医療端末２０に保存される。
【００３９】
また、救急隊員は、通常、現場や患者搬送中に患者の性別と患者のけがの状況・現病歴を確認すると共に、患者の氏名・年齢・既応歴等を可能であれば患者本人や家族等から確認する。また、患者搬送中には応急処置を行うこともある。よってステップＳ４に示すようにできる限りこれらの性別・けがの状況・現病歴・氏名・年齢・既応歴・応急処置の内容等を携帯医療端末２０に備えられた入力部２３から入力する。そして入力結果をＲＡＭ２１ｃ等に記憶する。
【００４０】
患者の搬送中に救急車などの患者搬送移動体に備えられている、あるいは搬入されている医療機器３０で測定される患者の心電図や血圧・脈拍・体温・呼吸等の変化のデータは、医療機器３０に有線接続されたバイタルデータ送信部３２から携帯医療機器２０の医療機器通信部２６に無線送信され、医療機器通信部２６で受信されたバイタルデータは携帯医療端末２０の例えばＲＡＭ２１cなどに記憶される。また、救急隊員が測定した血圧・脈拍等を入力部２３から携帯医療端末２０に入力する方法も可能であるが、誤入力の可能性が排除できないので、本実施の形態例においては医療機器３０による自動測定結果を直接取得して記憶することが望ましい。
【００４１】
上記のように携帯医療端末２０で取得された患者識別情報と患者のバイタルデータや患者画像等の生体情報とは関連付けされて、患者情報としてＲＡＭに記憶されつつ患者の医療施設への搬送を行うことが可能となる。
【００４２】
ＲＡＭ２１ｃ等に記憶された患者情報は、救急車が搬送先医療施設に到着後、ステップＳ６に示すように医療施設通信部２７から医療施設の患者情報受信部４２に無線送信され、医療施設コンピュータ４０に取り込まれて患者特定情報と共に記憶される。
【００４３】
搬送先医療施設の医師や看護師はステップＳ７に示すように、この医療施設コンピュータ４０に記憶された患者情報を治療現場に設置されたモニタ画面に表示する等して患者の今までの状態を正確に把握しながら必要な医療行為を行う。
【００４４】
以上のように、緊急性を有する救急現場であっても、救急隊員は最低限識別タグ１０を患者の体の一部に取り付けて、救急車内で携帯医療端末２０に医療機器３０からのデータを取り込むだけで良く、救急隊員の負担が重くならない状況で確実に搬送先医療施設に患者と患者情報を引き継ぐことができる。
【００４５】
また、患者情報としての患者識別情報と患者のバイタルデータ・患者画像等の生体情報の関連付けは、携帯医療端末２０において自動的に行われるので、従来不可能であった患者の患部画像・現場画像やバイタルデータを取り違いがなく、搬送先医療施設での治療情報として利用することができる。
【００４６】
また、図３に示す様に、撮像部２５で取得された患者画像は、患者の識別情報としての識別番号と共に、直接表示部２２に表示することにより、搬送先医療施設で医師や看護師が直接治療情報として確認することも可能である。
【００４７】
＜変形例＞
尚、上記の発明の説明において、医療機器３０で測定されたバイタルデータはバイタルデータ送信部３２から無線送信されると説明したが、本発明の無線携帯医療端末及び無線携帯医療端末による医療支援システムはこの構成に限られるものではなく、バイタルデータ送信部３２と医療機器通信部２６とが有線接続されていても良いことは言うまでもない。特に医療現場においては、輸血ポンプや人工呼吸器のように電波で異常をきたす可能性の高い機器も多いことや、各種医療機器のノイズの影響を排除するために有線接続することは有効である。
【００４８】
また、携帯医療端末２０のＲＡＭ２１ｃに記憶された患者情報は、患者搬送先医療施設で医療施設通信部２７から患者情報受信部４２に無線送信されると説明したが、本発明の無線携帯医療端末及び無線携帯医療端末による医療支援システムはこの構成に限られるものではなく、医療施設通信部２７と患者情報受信部４２とが有線接続されていても良いことは言うまでもない。
【００４９】
更に、携帯医療端末の記憶部を着脱自在の不揮発性メモリに記憶した場合には、直接医療施設のコンピュータにセットして読み込ませても良い。また、患者情報のモニタ画面に表示するに際して患者を取り違えるおそれを無くすために医療施設コンピュータから患者の識別タグを読み込ませ、患者を確認してから患者情報を表示するようにすることが望ましい。
【００５０】
また、以上の説明は救急車での搬送を例としたが、あらゆる患者搬送手段に適用できることは勿論であり、航空機であっても船舶であっても、自動車であってもよく、種別に限定されない。
【図面の簡単な説明】
【００５１】
【図１】本発明に係る一発明の実施の形態例の携帯医療端末による医療支援システムの概略構成例を示す図である。
【図２】本実施の形態例の携帯医療端末の詳細構成を示すブロック図である。
【００５２】
【図３】本実施の形態例の携帯医療端末の外観を示す図である。
【図４】本実施の形態例の医療支援システムの動作を説明するためのフローチャートである。
【符号の説明】
【００５３】
１０  識別タグ
２０  携帯医療端末
２１  制御部
２２  表示部
２３  入力部
２４  識別信号送受信部
２５  撮像部
２６  医療機器通信部
２７  医療施設通信部
３０  医療機器
３２  バイタルデータ送信部
４０  医療施設コンピュータ
４２  患者情報受信部
【図１】
2005245828.tif 000003
【図２】
2005245828.tif 000004
【図３】
2005245828.tif 000005
【図４】
2005245828.tif 000006